(57)【要約】【課題】  シンプルで且つコンパクトな構造の傾き調整機能付き蝶番を提供する。【解決手段】  本発明に係る蝶番１は、第一の取付面１１ａ及び少なくとも一つの第一の軸筒部１３を有する第一の羽１０と、第二の取付面１６ａ及び上下に間隔を空けて形成された一対の第二の軸筒部１８を有する第二の羽１５と、前記第一の軸筒部１３の内孔１３ａ及び前記上下一対の第二の軸筒部１８の内孔１８ａに挿通された軸２０と、を備え、前記第一の軸筒部１３が前記上下一対の第二の軸筒部１８に対して実質的に上下に移動しないように、前記第一の軸筒部１３が前記上下一対の第二の軸筒部１８の間に挿入されており、前記第一の軸筒部１３の内孔１３ａが、軸筒部の軸心方向から見て長円形状とされており、前記軸２０が前記第一の軸筒部１３の内孔内において傾動可能とされている。【選択図】  図３
2017172324.tif 000002
【特許請求の範囲】
【請求項１】
第一の取付面及び少なくとも一つの第一の軸筒部を有する第一の羽と、
第二の取付面及び上下に間隔を空けて形成された一対の第二の軸筒部を有する第二の羽と、
前記第一の軸筒部の内孔及び前記上下一対の第二の軸筒部の内孔に挿通された軸と、を備え、
前記第一の軸筒部が前記上下一対の第二の軸筒部に対して実質的に上下に移動しないように、前記第一の軸筒部が前記上下一対の第二の軸筒部の間に挿入されており、
前記第一の軸筒部の内孔が、軸筒部の軸心方向から見て長円形状とされており、前記軸が前記第一の軸筒部の内孔内において傾動可能とされている、
蝶番。
【請求項２】
第一の取付面及び少なくとも一つの第一の軸筒部を有する第一の羽と、
第二の取付面及び上下に間隔を空けて形成された一対の第二の軸筒部を有する第二の羽と、
前記第一の軸筒部の内孔及び前記上下一対の第二の軸筒部の内孔に挿通された軸と、を備え、
前記第一の軸筒部が前記上下一対の第二の軸筒部に対して実質的に上下に移動しないように、前記第一の軸筒部が前記上下一対の第二の軸筒部の間に挿入されており、
前記第一の軸筒部の内孔が、前記軸の外形よりも大きく形成され、
前記第一の軸筒部の対向箇所には、一対のビスが設けられ、
前記第一の軸筒部の内孔に挿通された軸が、傾動可能な状態で前記一対のビスの先端にて対向一箇所で支持されている、
蝶番。
【請求項３】
第一の取付面及び少なくとも一つの第一の軸筒部を有する第一の羽と、
第二の取付面及び上下に間隔を空けて形成された一対の第二の軸筒部を有する第二の羽と、
前記第一の軸筒部の内孔及び前記上下一対の第二の軸筒部の内孔に挿通された軸と、を備え、
前記第一の軸筒部が前記上下一対の第二の軸筒部に対して実質的に上下に移動しないように、前記第一の軸筒部が前記上下一対の第二の軸筒部の間に挿入されており、
前記第一の軸筒部の内孔が、一部分において絞られた部分を有しつつ前記軸の外形よりも大きく形成され、
前記第一の軸筒部の内孔に挿通された軸が、傾動可能な状態で前記内孔のうち絞られた部分によって一箇所で支持されている、
蝶番。
【請求項４】
前記第一の軸筒部と前記上下一対の第二の軸筒部の間に、環状介装体が介装されている、  請求項１乃至３のいずれか一項に記載の蝶番。
【請求項５】
請求項１乃至４のいずれか一項に記載の蝶番が取り付けられている、開閉可能な間仕切り。
【発明の詳細な説明】
【技術分野】
【０００１】
本発明は、蝶番に関する。例えば、本発明は、マンション等の建物のベランダやバルコニーにおいて隣室間の境界又は目隠しとして設置される間仕切り（いわゆるパーテーション）であって、蝶番を用いることにより開閉可能となる間仕切りの取付構造に適した蝶番及び間仕切りに関する。
【背景技術】
【０００２】
この種の間仕切りとしては、文献レベルで言えば、特許文献１に記載されたものが公知である。かかる間仕切りは、その一側端部が上下二箇所で蝶番によってベランダの手摺り壁に枢着されることで、枢着部（蝶番）を中心に開閉可能となる、とされている。
【０００３】
しかしながら、手摺り壁は、コンクリートの表面に外壁材を塗布しただけの構造である。コンクリートの表面がきれいな平面ではなく、きれいな垂直にもなっていない上、外壁材の塗布量にもムラがあるため、手摺り壁の表面の平面度や垂直度は悪い。そのような手摺り壁の表面に蝶番を取り付けると、上部側の蝶番の回転軸と下部側の蝶番の回転軸とが同軸とはならず、間仕切りが開かないか、開くために過大な力が必要となる。
【０００４】
開閉式の間仕切りが採用されるのは、火災等の非常時に避難ルートを迅速且つ確実に確保するためであることからすれば、間仕切りが開かない等の上記問題は致命的である。そこで、間仕切りが開閉式である場合、通常は、ベランダやバルコニーの壁に外枠や柱が施工され、この外枠や柱に間仕切りが蝶番によって枢着されるようになっている。
【０００５】
しかしながら、これでは、外枠や柱を施工することによってコスト増になる、という問題や、外枠や柱の幅の分だけ間仕切りの開口が狭くなる、という問題がある。かかる問題の解決策としては、特許文献２や特許文献３に記載された傾き調整機能付き蝶番がある。特許文献２の蝶番は、支点軸２に直交してねじ軸３が設けられ、ねじ軸３に障子側取付板１４が螺合され、ねじ軸３の回転によってねじ軸３に対する障子側取付板１４の螺合位置を変えることで、障子枠Ｂの傾きを調整する、というものであり、特許文献３の蝶番は、羽板１７と外枠２０との間に挿入させるスペーサー２３の枚数を変えることで、ドア１８の傾きを調整する、というものである。
【０００６】
たしかにこれらによっても開閉体の傾きを調整することはできる。ただし、特許文献２の蝶番では、支点軸２からねじ軸３が大きく突出することで、全体サイズが大きくなる、という問題がある。特許文献３の蝶番では、複数枚のスペーサー２３が必要であるとともに、別パーツであるために取り扱いが煩雑になる、という問題がある。
【先行技術文献】
【特許文献】
【０００７】
【特許文献１】特開２００２−３６４０６４号公報
【特許文献２】特開平１０−１８４１６４号公報
【特許文献３】実開平５−６２６８３号公報
【発明の概要】
【発明が解決しようとする課題】
【０００８】
そこで、本発明は、かかる事情に鑑みてなされたもので、シンプルで且つコンパクトな構造の傾き調整機能付き蝶番などを提供することを課題とする。
【課題を解決するための手段】
【０００９】
本発明に係る第１の蝶番は、第一の取付面及び少なくとも一つの第一の軸筒部を有する第一の羽と、第二の取付面及び上下に間隔を空けて形成された一対の第二の軸筒部を有する第二の羽と、前記第一の軸筒部の内孔及び前記上下一対の第二の軸筒部の内孔に挿通された軸と、を備え、前記第一の軸筒部が前記上下一対の第二の軸筒部に対して実質的に上下に移動しないように、前記第一の軸筒部が前記上下一対の第二の軸筒部の間に挿入されており、前記第一の軸筒部の内孔が、軸筒部の軸心方向から見て長円形状とされており、前記軸が前記第一の軸筒部の内孔内において傾動可能とされている。
【００１０】
本発明に係る第２の蝶番は、第一の取付面及び少なくとも一つの第一の軸筒部を有する第一の羽と、第二の取付面及び上下に間隔を空けて形成された一対の第二の軸筒部を有する第二の羽と、前記第一の軸筒部の内孔及び前記上下一対の第二の軸筒部の内孔に挿通された軸と、を備え、前記第一の軸筒部が前記上下一対の第二の軸筒部に対して実質的に上下に移動しないように、前記第一の軸筒部が前記上下一対の第二の軸筒部の間に挿入されており、前記第一の軸筒部の内孔が、前記軸の外形よりも大きく形成され、前記第一の軸筒部の対向箇所には、一対のビスが設けられ、前記第一の軸筒部の内孔に挿通された軸が、傾動可能な状態で前記一対のビスの先端にて対向一箇所で支持されている。
【００１１】
本発明に係る第３の蝶番は、第一の取付面及び少なくとも一つの第一の軸筒部を有する第一の羽と、第二の取付面及び上下に間隔を空けて形成された一対の第二の軸筒部を有する第二の羽と、前記第一の軸筒部の内孔及び前記上下一対の第二の軸筒部の内孔に挿通された軸と、を備え、前記第一の軸筒部が前記上下一対の第二の軸筒部に対して実質的に上下に移動しないように、前記第一の軸筒部が前記上下一対の第二の軸筒部の間に挿入されており、前記第一の軸筒部の内孔が、一部分において絞られた部分を有しつつ前記軸の外形よりも大きく形成され、前記第一の軸筒部の内孔に挿通された軸が、傾動可能な状態で前記内孔のうち絞られた部分によって一箇所で支持されている。
【００１２】
本発明の好ましい蝶番は、前記第一の軸筒部と前記上下一対の第二の軸筒部の間に、環状介装体が介装されている。
【００１３】
また、本発明の別の局面によれば、間仕切りを提供する。
本発明の間仕切りは、上記蝶番が取り付けられている開閉可能な間仕切りである。
【発明の効果】
【００１４】
以上の如く、本発明によれば、上記した構成とすることで、シンプルで且つコンパクトな構造の蝶番とすることができる。
【図面の簡単な説明】
【００１５】
【図１】図１は、本発明の一実施形態に係る蝶番を用いた間仕切りの取付構造の正面図である。
【図２】図２は、同蝶番の斜視図である。
【図３】図３は、同蝶番の分解斜視図である。
【図４】図４（ａ）は、同蝶番の第一の羽の平面図、図４（ｂ）は、図４（ａ）のＡ矢視図、である。
【図５】図５（ａ）は、同蝶番の第二の羽の平面図、図５（ｂ）は、図５（ａ）のＢ矢視図、である。
【図６】図６は、同蝶番の第一の取付態様の平面図である。
【図７】図７は、同蝶番の第二の取付態様の平面図である。
【図８】図８は、同蝶番の第三の取付態様の平面図である。
【図９】図９（ａ）は、同蝶番の傾き調整前の状態の断面図、図９（ｂ）は、傾き調整後の状態の断面図、図９（ｃ）は、さらに軸の前後位置調整を行った状態の断面図、である。
【図１０】図１０（ａ）は、第一の変形例に係る蝶番の第一の羽と軸との組み合わせの断面図、図１０（ｂ）は、第二の変形例に係る蝶番の第一の羽と軸との組み合わせの断面図、図１０（ｃ）は、第三の変形例に係る蝶番の第一の羽と軸との組み合わせの断面図、である。
【発明を実施するための形態】
【００１６】
以下、本発明に係る蝶番の一実施形態として、マンションのベランダにおいて隣室間の境界又は目隠しとして設置される間仕切りの取付構造に用いられる例について、図面を参酌しつつ説明する。
【００１７】
図１に示すように、間仕切り２は、その一側端部が上下二箇所で蝶番１によって外壁Ａ（の例えば柱部）の表面に枢着されることで、枢着部（蝶番１）を中心に開閉可能となっている。なお、間仕切り２が開閉可能となっているのは、火災等の非常時に避難ルートを迅速且つ確実に確保するためのバリアフリー対策である。したがって、常時は不用意に間仕切り２が開かないよう、例えば、一端部が軸支された回転小板と該回転小板の他端部を受け入れる受座とからなり、回転小板を受座から外すように回転させるとロックを解除できる、といった簡単な構成で簡単にロックを解除できるドアロック３が手摺り壁Ｂ側に設けられている。このように、非常時にドアロック３を解除すると、間仕切り２が蝶番１を支点として外壁Ａ側に開き、ベランダの隣室間が開放される。なお、蝶番１は、手摺り壁Ｂの表面に取り付けられ、間仕切り２が手摺り壁Ｂ側に開くようにしてもよい。
【００１８】
蝶番１は、図２及び図３に示すように、第一の羽１０と第二の羽１５とが軸２０によって回転自在に連結されたものである。第一の羽１０、第二の羽１５及び軸２０は、本実施形態では、鉄等の金属製であるが、強度があれば、樹脂成型品であってもよい。第一の羽１０は、第一の取付面１１ａを有する第一の本体部１１と、該第一の本体部１１から第一の変移部１２を介して延在する第一の軸筒部１３とを備えている。第二の羽１５は、第二の取付面１６ａを有する第二の本体部１６と、該第二の本体部１６から第二の変移部１７を介して延在する第二の軸筒部１８とを備えている。本実施形態では、第一の羽１０が第一の取付面１１ａにて外壁Ａ（の例えば柱部）の表面に取り付けられ、第二の羽１５が第二の取付面１６ａにて間仕切り２の一側端部に取り付けられる。
【００１９】
図４に示すように、第一の本体部１１は、矩形状であり、所定の厚みを有する板材である。その板材の外面が第一の取付面１１ａである。第一の本体部１１の例えば上下二箇所位置には、第一の軸筒部１３の軸心と直交する方向に長い長円孔１１ｂが第一の本体部１１を貫通して形成されている。この長円孔１１ｂに、ネジやビスやリベットやアンカーボルトといった、外壁Ａ（の例えば柱部）への固定手段（図示しない）が挿通される。
【００２０】
第一の軸筒部１３は、第一の本体部１１の高さ方向における中間部に形成されている。第一の軸筒部１３は、第一の変移部１２によって、第一の取付面１１ａと直交する方向であって外壁Ａ（の例えば柱部）の表面から遠ざかるように変位されている。第一の軸筒部１３は、上下方向に沿った軸心を有する内孔１３ａが形成されることによって筒状となっている。内孔１３ａは、その軸心方向から見て長円形状となっている。より詳しくは、内孔１３ａは、その軸心方向から見て、第一の取付面１１ａと直交する方向に長軸を有する長円形状となっている。内孔１３ａの短軸長さは、軸２０の外径と同じかそれよりも僅かに大きいだけである。したがって、内孔１３ａに挿通された軸２０は、第一の取付面１１ａと直交する方向に傾動あるいは移動可能となっている。
【００２１】
図５に示すように、第二の本体部１６は、矩形状であり、所定の厚みを有する板材である。その板材の外面が第二の取付面１６ａである。第二の本体部１６の例えば上下二箇所位置には、第二の軸筒部１８の軸心と直交する方向に長い長円孔１６ｂが第二の本体部１６を貫通して形成されている。この長円孔１６ｂに、ネジやビスやリベットやアンカーボルトといった、間仕切り２への固定手段（図示しない）が挿通される。
【００２２】
第二の軸筒部１８は、第二の本体部１６の上下方向における中間部を除く、上下に一対設けられている。より詳しくは、一対の第二の軸筒部１８間に第一の軸筒部１３（及びその両端に配置される後述するスペーサー、ワッシャー、カラー、ベアリング又はスプリングワッシャーといった環状介装体２４（図２及び図３参照）の厚みを合わせた長さ）が挿入可能となるよう、一対の第二の軸筒部１８間の間隔が設定されている。それぞれの第二の軸筒部１８は、第二の変移部１７によって、第二の取付面１６ａと直交する方向であって間仕切り２の表面から遠ざかるように変位されている。それぞれの第二の軸筒部１８は、上下方向に沿った軸心を有する内孔１８ａが形成されることによって筒状となっている。内孔１８ａは、その軸心方向から見て円形状となっている。内孔１８ａの内径は、軸２０の外径と同じかそれよりも僅かに大きいだけである。したがって、内孔１８ａに挿通された軸２０は、その軸心と直交する方向に動くことはないか、あるいは動くことがあったとしても僅か程度である。
【００２３】
図２及び図３に戻り、軸２０は、本実施形態では、丸棒である。上端には、いわゆるギボシといった頭部２０ａが形成され、一対の第二の軸筒部１８及びその間の第一の軸筒部１３に挿通された軸２０が下方に落下しないようにされている。なお、軸２０は、一対の第二の軸筒部１８及びその間の第一の軸筒部１３には固定されていない。したがって、軸２０を上方に引っ張ると引き抜くことができる。但し、第二の軸筒部１８が例えばビス等によって軸２０に固定されるようにしてもよいし、第二の軸筒部１８に軸２０が嵌入するようにしてもよい。
【００２４】
本実施形態に係る蝶番１の特徴は、第一の軸筒部１３内における軸２０の傾きを調整するための傾き調整手段２５が設けられている点である。傾き調整手段２５は、軸２０にその軸心と直交する方向に形成された雌ネジ部からなる係合部としてのネジ孔２０ｂと、該ネジ孔２０ｂに螺合する雄ネジ部からなる軸部２７及び該軸部２７よりも大きな頭部２８を有する操作体２６と、頭部２８より小さく軸部２７より大きい、第一の軸筒部１３の内外を貫通する貫通孔１３ｂであって、頭部２８が第一の軸筒部１３の外側になるようにして操作体２６の軸部２７が挿通される支持部としての貫通孔１３ｂとで構成される。
【００２５】
ネジ孔２０ｂは、その軸心が軸２０の軸心と直交するように形成されており、軸２０を貫通している。雌ネジはその全長に亘って形成されているが、例えば部分的に径が大きく非雌ネジ部となっている箇所が設けられるようにしてもよい。操作体２６は、本実施形態では、小径のボルトである。第一の軸筒部１３の外側から貫通孔１３ｂを通り、ネジ孔２０ｂに螺合して反対側から突き出る操作体２６の先端部は、反対側の貫通孔１３ｂを抜け出て、そこにナット２９が螺合されるようになっている。貫通孔１３ｂが操作体２６の軸部２７よりも大きくなっている、より詳しくは、貫通孔１３ｂの内径が軸部２７の外径よりも余裕を持って大きくなっているのは、第一の軸筒部１３内における軸２０の傾動によって軸２０に螺合している操作体２６も傾動するが、貫通孔１３ｂが小さいと、傾動しようとする操作体２６が貫通孔１３ｂに干渉し、傾動が阻害される懸念があるからである。
【００２６】
そして、傾き調整手段２５は、軸２０の軸心方向に離れて一対設けられている。より詳しくは、ネジ孔２０ｂは、軸２０の軸心方向に間隔を有して一対形成され、操作体２６及びナット２９は、それぞれのネジ孔２０ｂに対して設けられ、貫通孔１３ｂも、第一の軸筒部１３の軸心方向に間隔を有して一対形成されている。貫通孔１３ｂは、厳密に言えば、第一の軸筒部１３のうち、操作体２６の先端部が挿入される側に上下に一対形成され、操作体２６の先端部が抜け出る側（反対側）にも上下に一対形成され、合計四箇所に形成されている。
【００２７】
以上の構成からなる蝶番１によれば、図６に示すように、第一の本体部１１が外壁Ａ（の例えば柱部）と間仕切り２の一側端部との間から出て配置されるように第一の羽１０が外壁Ａ（の例えば柱部）の表面に取り付けられたり、あるいは、それとは反対に第一の羽１０の向きが変わって、図７に示すように、第一の本体部１１が外壁Ａ（の例えば柱部）と間仕切り２の一側端部との間に配置されるように第一の羽１０が外壁Ａ（の例えば柱部）の表面に取り付けられたり、あるいは、それら第一の取付面１１ａと第二の取付面１６ａとが直交するような取付態様ではなく、図８に示すように、第一の取付面１１ａと第二の取付面１６ａとが平行（あるいは面一）になるような配置態様で第一の羽１０が外壁Ａの例えば柱部の側面に取り付けられる。
【００２８】
そして、外壁Ａの表面の平面度や垂直度は悪いために、上部側の蝶番１の回転軸と下部側の蝶番の回転軸とが同軸とはならず、間仕切り２の開閉に抵抗感があるような場合は、図９（ａ）から図９（ｂ）に示すように、適宜、操作体２６の回転操作を行う。例えば図９（ｂ）に示す例でいえば、操作体２６を時計回りに回転操作すると、操作体２６の頭部２８は第一の軸筒部１３に当接しているため、操作体２６自体はその軸心方向に移動せず、したがって、軸２０が第一の軸筒部１３内で操作体２６の頭部２８側に引き寄せられるように変位する。あるいは、図示していないが、操作体２６を反時計回りに回転操作すると、軸２０が第一の軸筒部１３内で操作体２６の頭部２８から離れるように変位する。操作体２６の回転操作は、上下の操作体２６のうちの上側の操作体２６であってもよいし、下側の操作体２６であってもよい。これら操作体２６の回転操作により、軸２０を外壁Ａの表面と直交する二方向のいずれかに傾動させることができる。そして、軸２０の傾動に伴い、第二の軸筒部１８が傾動する。その結果、第一の羽１０に対して第二の羽１５の傾きが変わる。したがって、外壁Ａに対する間仕切り２の傾きが傾き調整手段２５によって調整可能となる。なお、外壁Ａの表面に沿った方向における間仕切り２の傾きは、外壁Ａの表面に対する蝶番１の取付位置を調整することで調整可能である。
【００２９】
さらに、上下それぞれの蝶番１の軸２０の傾きを調整することで、上下の蝶番１の回転軸を平行にすることができるものの、外壁Ａの上下の取付面の平行度等が大きくずれている場合、軸２０の傾きを調整するだけでは上下の蝶番１の回転軸を同軸にまではすることができないこともあり得る。この場合は、図９（ｃ）に示すように、蝶番１における上下の操作体２６をそれぞれ同じ方向に回転操作することで、外壁Ａの表面と直交する方向に軸２０を移動させることができる（上下の操作体２６の回転操作量が同じであれば、平行移動となり、回転操作量が違うと、傾動＋移動となる。）。これにより、上下の蝶番１の回転軸のオフセット量を解消して両軸を同軸にすることができる。
【００３０】
なお、本発明に係る蝶番は、上記実施形態に限定されるものではなく、本発明の要旨を逸脱しない範囲で種々の変更が可能である。
【００３１】
例えば、第一の軸筒部１３及び傾き調整手段２５は、図１０に例示される別形態であってもよい。図１０（ａ）に示す形態は、第一の軸筒部１３の内孔１３ａの内径が軸２０の外径よりも十分に大きい（内孔１３ａの内周面と軸２０の外周面との間に隙間が形成される）が、第一の軸筒部１３の対向箇所に一対設けられたビス３０により軸２０が一箇所で固定され、軸２０の傾動を可能にするというものである。図１０（ｂ）に示す形態は、第一の軸筒部１３の少なくとも内孔１３ａが部分的に絞られ、これにより軸２０が一箇所で固定され、軸２０の傾動を可能にするというものである。図１０（ｃ）に示す形態は、内孔１３ａを部分的に絞るための絞り部材３１が第一の軸筒部１３の一端開口部に嵌め込まれ、これにより軸２０が一箇所で固定され、軸２０の傾動を可能にするというものである。
【００３２】
また、上記実施形態では、軸２０は、断面形状が円形である丸軸であったが、これに限定されるものではない。軸２０は、断面形状が楕円形である丸軸であったり、断面形状が多角形である角軸であってもよい。特に形状は限定されない。
【００３３】
また、上記実施形態では、第一の軸筒部１３の内孔１３ａが第一の取付面１１ａと直交する方向に長軸を有する長円形状であるため、軸２０は第一の取付面１１ａと直交する方向に傾動するものであったが、これに限定されるものではない。内孔１３ａの長軸が第一の取付面１１ａと直交する方向に対して所定角度をなす形態であってもよい。
【００３４】
また、上記実施形態では、軸２０が第一の取付面１１ａと直交する方向に傾動するのみであったが、これに限定されるものではない。例えば第一の軸筒部１３の内孔１３ａが第一の取付面１１ａと直交する方向にのみ軸２０よりも大きくなっているのではなく、第一の取付面１１ａに沿った方向にも大きくなっていて、且つ、別の傾き調整手段２５が上記傾き調整手段２５と直交するように設けられることで、軸２０を直交二軸、すなわち、第一の取付面１１ａと直交する方向及び第一の取付面１１ａに沿った方向の両方向に傾動させることができるようになる。
【００３５】
また、上記実施形態では、ネジ孔２０ｂは、その軸心が軸２０の軸心と直交するように形成されているが、これに限定されるものではない。ネジ孔２０ｂの軸心が軸２０の軸心と直交する方向に対して所定角度をなす形態であってもよい。
【００３６】
また、上記実施形態では、ネジ孔２０ｂは、軸２０を貫通するものであったが、これに限定されるものではない。ネジ孔２０ｂは、一端が軸２０内で止まる止まり孔であってもよい。
【００３７】
また、上記実施形態では、操作体２６において、軸部２７の端部に設けられる頭部２８が膨大部として機能しているが、これに限定されるものではない。膨大部が軸部２７の例えば端部寄りの箇所に設けられるものであってもよい。
【００３８】
また、上記実施形態では、傾き調整手段２５として、操作体２６に形成されたネジの螺動を利用する構造が採用されているが、これに限定されるものではない。例えば、操作体２６は、第一の軸筒部１３に対してスライドする構造であってもよい。
【００３９】
また、上記実施形態では、第一の羽１０が外壁Ａの表面に取り付けられ、第二の羽１５が間仕切り２の一側端部に取り付けられているが、これに限定されるものではない。これとは反対に、第一の羽１０が間仕切り２の一側端部に取り付けられ、第二の羽１５が外壁Ａの表面に取り付けられるようにしてもよい。
【００４０】
そして、蝶番１は、間仕切り２の取付構造でのみ用いられるものではなく、広く汎用的に使用することができるのは言うまでもない。
【符号の説明】
【００４１】
１…蝶番、１０…第一の羽、１１…第一の本体部、１１ａ…第一の取付面、１１ｂ…長円孔、１２…第一の変移部、１３…第一の軸筒部、１３ａ…内孔、１３ｂ…貫通孔（支持部）、１５…第二の羽、１６…第二の本体部、１６ａ…第二の取付面、１６ｂ…長円孔、１７…第二の変移部、１８…第二の軸筒部、１８ａ…内孔、２０…軸、２０ａ…頭部、２０ｂ…ネジ孔（係合部）、２４…環状介装体、２５…傾き調整手段、２６…操作体、２７…軸部、２８…頭部、２９…ナット、３０…ビス、３１…絞り部材、２…間仕切り、３…ドアロック、Ａ…外壁、Ｂ…手摺り壁
【図１】
2017172324.tif 000003
【図２】
2017172324.tif 000004
【図３】
2017172324.tif 000005
【図４】
2017172324.tif 000006
【図５】
2017172324.tif 000007
【図６】
2017172324.tif 000008
【図７】
2017172324.tif 000009
【図８】
2017172324.tif 000010
【図９】
2017172324.tif 000011
【図１０】
2017172324.tif 000012